(57)【要約】【課題】映像における輝度の平均値や最大値が同じである映像を、画品位を向上させて表示することができる投写型映像表示装置を提供する。【解決手段】液晶プロジェクタ１は、光を投写して映像を表示するとともに、光の量を絞り６によって調節するものである。液晶プロジェクタ１は、映像における輝度に関するデータを生成する輝度データ生成部９と、映像における色相の割合に関するデータを生成する色相割合データ生成部１０とを備えている。そして、液晶プロジェクタ１が、輝度データ生成部９によって生成されたデータと、色相割合データ生成部１０によって生成されたデータとに基づいて、絞り６を制御するＣＰＵ１１とを備えることを特徴とする。【選択図】図１
2009103917.tif 000002
【特許請求の範囲】
【請求項１】
光を投写して映像を表示するとともに、前記光の量を光量調節部によって調節する投写型映像表示装置であって、
前記映像における輝度に関するデータを生成する輝度データ生成部と、
前記映像における色相の割合に関するデータを生成する色相割合データ生成部と、
前記輝度データ生成部によって生成されたデータと、前記色相割合データ生成部によって生成されたデータとに基づいて、前記光量調節部を制御する制御部と
を備えることを特徴とする投写型映像表示装置。
【請求項２】
前記輝度データ生成部は、前記映像における輝度に関するデータとして前記映像における輝度の平均値を算出するとともに、前記色相割合データ生成部は、前記映像における色相の割合に関するデータとして前記映像における所定の複数の色相及び無彩色のそれぞれの割合を算出し、
前記制御部は、前記輝度の平均値と、前記所定の複数の色相及び前記無彩色のそれぞれの割合とに応じて、前記光量調節部を制御することを特徴とする請求項１に記載の投写型映像表示装置。
【請求項３】
前記制御部は、前記無彩色の割合が高いほど、前記光の量を少なくするように前記光量調節部を制御することを特徴とする請求項２に記載の投写型映像表示装置。
【請求項４】
前記制御部は、前記映像において輝度への影響が小さい色相の割合が高いほど、前記光の量を多くするように前記光量調節部を制御することを特徴とする請求項２または請求項３のいずれかに記載の投写型映像表示装置。
【請求項５】
前記光量調節部は、開口率を変化させることによって前記光の量を調節する絞りによって形成され、
前記制御部は、前記輝度の平均値に対応する前記所定の複数の色相及び前記無彩色のそれぞれの開口率算出係数を求めるとともに、前記所定の複数の色相及び前記無彩色の割合の各々に前記開口率算出係数を掛けて足し合わせることにより、前記開口率を算出することを特徴とする請求項２乃至請求項４のいずれかに記載の投写型映像表示装置。
【請求項６】
前記所定の複数の色相は、赤、緑、青、黄、シアン、及びマゼンタの６色の色相であることを特徴とする請求項２乃至請求項５のいずれかに記載の投写型映像表示装置。
【発明の詳細な説明】
【技術分野】
【０００１】
本発明は、投写する光の量を調節する光量調節部を備えた液晶プロジェクタ等の投写型映像表示装置に関する。
【背景技術】
【０００２】
近年、光をスクリーンに投写して映像を拡大して表示する液晶プロジェクタ等の投写型映像表示装置が幅広く利用されている。一般に、液晶プロジェクタにおいては、外部（例えば、パソコンやＤＶＤプレーヤー）から入力された映像信号に対して所定の信号処理を施すとともに、信号処理が施された映像信号を液晶ドライバへと出力する。そして、液晶ドライバが、映像信号に基づいて、液晶パネルの各表示セグメントに適切な駆動電圧を与え、液晶パネルを駆動させる。この液晶パネルに光源から出射された光を透過させることによって映像を含む光を生成して、投写レンズを用いて映像を含む光をスクリーンに投写することによって映像を表示する構成となっている。
【０００３】
ところで、投写型映像表示装置によって表示される映像の画品位を向上させるために、光の量を調節する光量調節部を備えた投写型映像表示装置が知られている。このような光量調節部としては、例えば、光源に供給される電力を制御することによって光源が出射する光の量（光源の発光量）を調節するものや、開口部が可変である絞りによって光源から出射された光の量を調節するものが知られている。また、映像における輝度の平均値である平均輝度レベル（ＡＰＬ：Average Picture Level）や、映像における輝度の最大値に基づいて、光の量を調節することが提案されている（例えば、特許文献１〜３参照）。
【特許文献１】特開平５−６６５０１号公報
【特許文献２】特開２００３−３６０６３号公報
【特許文献３】特開２００６−１３３７５０号公報
【発明の開示】
【発明が解決しようとする課題】
【０００４】
しかしながら、上記従来技術においては、表示内容が異なる映像を表示する場合であっても、それぞれの映像を異なった光量で表示させることができない場合があるという不都合があった。即ち、輝度の平均値や最大値（即ち、映像における輝度に関するデータ）に基づいて光量調節部を制御するため、輝度の平均値や最大値が同じであれば、表示内容が異なる映像であっても同じ量の光を投写して映像を表示する。従って、輝度の平均値や最大値が同じであれば、映像における色相の割合が異なる映像、例えば、曇り空の映像と海の映像を、同じ量の光を投写して表示するため、画品位を向上させた映像を表示させることができない場合があった。
【０００５】
本発明は、こうした実情に鑑みてなされたものであり、その目的は、映像における輝度の平均値や最大値が同じである映像を、画品位を向上させて表示させることができる投写型映像表示装置を提供することにある。
【課題を解決するための手段】
【０００６】
請求項１に記載の発明は、光を投写して映像を表示するとともに、光の量を光量調節部によって調節する投写型映像表示装置であって、映像における輝度に関するデータを生成する輝度データ生成部と、映像における色相の割合に関するデータを生成する色相割合データ生成部と、輝度データ生成部によって生成されたデータと、色相割合データ生成部によって生成されたデータとに基づいて、光量調節部を制御する制御部とを備えることを特徴とする。
【０００７】
同構成によれば、映像における輝度に関するデータと、映像における色相の割合に関するデータとに基づいて、光量調節部を制御する構成としている。このため、映像における輝度だけではなく、映像における色相の割合に応じて光量調節部を制御することができる。従って、例えば、平均輝度レベルや輝度の最大値が同じである映像を表示する場合に、映像における色相の割合に応じて、画品位を向上させた映像を表示させることができる。
【０００８】
請求項２に記載の発明は、請求項１に記載の投写型映像表示装置であって、輝度データ生成部は、映像における輝度に関するデータとして映像における輝度の平均値を算出するとともに、色相割合データ生成部は、映像における色相の割合に関するデータとして映像における所定の複数の色相及び無彩色のそれぞれの割合を算出し、制御部は、輝度の平均値と、所定の複数の色相及び無彩色のそれぞれの割合とに応じて、光量調節部を制御することを特徴とする。
【０００９】
同構成によれば、制御部は、映像における輝度の平均値と、映像における所定の複数の色相及び映像における無彩色のそれぞれの割合とに応じて、光量調節部を制御する構成としている。このため、映像における輝度の平均値と複数の色相及び無彩色の割合とに応じて光量調節部を制御することができる。従って、例えば、平均輝度レベルや輝度の最大値や映像における無彩色の割合が同じである映像を表示する場合に、映像における所定の複数の色相の割合に応じて、画品位を向上させた映像を表示させることができる。
【００１０】
請求項３に記載の発明は、請求項２に記載の投写型映像表示装置であって、制御部は、無彩色の割合が高いほど、光の量を少なくするように光量調節部を制御することを特徴とする。
【００１１】
同構成によれば、映像における無彩色の割合が高いほど、投写される光の量を少なくする構成としている。このため、光の量を少なくして表現したい映像であって、無彩色の割合が高い映像（例えば、曇り空の映像）を、より光量を少なくして画品位を向上させて表示させることができる。
【００１２】
請求項４に記載の発明は、請求項２または請求項３に記載の投写型映像表示装置であって、制御部は、映像において輝度への影響が小さい色相の割合が高いほど、光の量を多くするように光量調節部を制御することを特徴とする。
【００１３】
同構成によれば、映像において輝度への影響が小さい色相（例えば、青の色相や赤の色相）の割合が高いほど、投写される光の量を多くする構成としている。このため、光の量を多くして表現したい映像であって、輝度への影響が小さい色相の割合が高い映像（例えば、海の映像）を、より光量を多くして画品位を向上させて表示させることができる。
【００１４】
請求項５に記載の発明は、請求項２乃至請求項４のいずれかに記載の投写型映像表示装置であって、光量調節部は、開口率を変化させることによって光の量を調節する絞りによって形成され、制御部は、輝度の平均値に対応する所定の複数の色相及び無彩色のそれぞれの開口率算出係数を求めるとともに、所定の複数の色相及び無彩色の割合の各々に開口率算出係数を掛けて足し合わせることにより、開口率を算出することを特徴とする。
【００１５】
同構成によれば、映像における所定の複数の色相及び無彩色の割合の各々に、映像における輝度の平均値に対応する開口率算出係数を掛けて足し合わせることにより、開口率を算出するため、光の量を調節するための開口率を簡単な演算で算出することができる。
【００１６】
請求項６に記載の発明は、請求項２乃至請求項５のいずれかに記載の投写型映像表示装置であって、所定の複数の色相は、赤、緑、青、黄、シアン、及びマゼンタの６色の色相であることを特徴とする。
【００１７】
同構成によれば、映像における赤、緑、青、黄、シアン、及びマゼンタの６色の色相のそれぞれの割合に応じて光量調節部を制御するため、映像における光の３原色（赤、緑、青）とそれらの補色（黄、シアン、マゼンタ）の各色相の割合に応じて、きめ細かく画品位を向上させた映像を表示させることができる。
【発明の効果】
【００１８】
本発明によれば、平均輝度レベルや輝度の最大値が同じである映像を表示する場合に、映像における色相の割合に応じて、画品位を向上させた映像を表示させることができる。
【発明を実施するための最良の形態】
【００１９】
以下に、本発明の具体的な実施形態について図面を参照しながら説明する。本発明の実施形態に係る投写型映像表示装置は、図１に示すように、光源５から出射される光を、液晶パネル部７に透過させた後、スクリーンＳに投写して映像を表示する液晶プロジェクタ１である。
【００２０】
この液晶プロジェクタ１は、図１に示すように、映像信号が入力される入力端子２と、入力された映像信号に対して信号処理を施す信号処理部３と、信号処理部３によって信号処理が施された映像信号が入力される液晶ドライバ４とを備えている。また、液晶プロジェクタ１は、光学部品として、光源５と、光源５から出射された光の量を調節する光量調節部としての絞り６と、液晶ドライバ４によって駆動されるとともに、絞り６によって調節された光が透過する液晶パネル部７と、液晶パネル部７に透過させた光をスクリーンＳに投写するための投写レンズ８とを備えている。
【００２１】
信号処理部３は、集積回路により形成されるとともに、入力された映像信号に対して種々の信号処理を施す。例えば、信号処理部３は、液晶パネルのサイズに応じて適切なサイズの映像を表示するためのスケーリング処理や、液晶パネルのＶ−Ｔ特性を考慮したガンマ補正処理や、映像信号の形式を変換する（例えば、ＲＧＢ信号をコンポーネント信号へ変換する）信号変換処理等の信号処理を施す。
【００２２】
なお、光源５としては、石英ガラスにより形成された発光管内に、発光体である水銀、およびハロゲンガスまたはハロゲン化物の混合物が封入されてなる超高圧水銀ランプ（不図示）を使用することができる。このようなランプの発光管内に電圧が印加されることにより、光源５は映像を投写するための光を出射する。
【００２３】
また、光量調節部である絞り６は、円形状に開口する開口部（不図示）を有し、この開口部の大きさ（即ち、開口率）を変化させることによって光源５から出射された光の量を調節する。なお、絞り６には開口部を制御するための信号が入力され、入力された信号に基づいて開口部が変化する。
【００２４】
また、液晶パネル部７は、アクティブマトリクス駆動方式の薄膜トランジスタ（ＴＦＴ：Thin Film Transistor）を用いた液晶パネル（不図示）を有し、使用される液晶パネルの枚数は液晶プロジェクタ１の方式によって異なる。即ち、液晶プロジェクタ１がいわゆる単板方式であれば、液晶パネル部７は、赤と緑と青のカラーフィルタを液晶セルごとに作り込んだ１枚の液晶パネルを有し、液晶プロジェクタ１がいわゆる３板方式であれば、液晶パネル部７は、赤と緑と青に対応する３枚の液晶パネルを有する。なお、３板方式の場合、液晶プロジェクタ１は、光源５から出射された光を赤と緑と青の各色の光に分解するためのダイクロイックミラー（不図示）や、３枚の液晶パネルを透過した光を合成するためのダイクロイックプリズム（不図示）等を備えている。
【００２５】
また、液晶プロジェクタ１は、映像信号に基づいて、映像における輝度（明るさ）に関するデータ（即ち、輝度データ）を生成する輝度データ生成部９と、映像における色相の割合に関するデータ（即ち、色相割合データ）を生成する色相割合データ生成部１０とを備えている。
【００２６】
輝度データ生成部９及び色相割合データ生成部１０は、それぞれ、集積回路により形成されるとともに、信号処理部３によって出力される映像１フレーム分の信号に基づいて、データを生成する。より具体的には、輝度データ生成部９は、輝度データとして輝度の平均値を算出するとともに、色相割合データ生成部１０は、色相割合データとして所定の複数の色相及び無彩色のそれぞれの割合を算出する。
【００２７】
以上のような構成において、制御部であるＣＰＵ１１によって、液晶プロジェクタ１の各部が制御される。より具体的には、ＣＰＵ１１は、ＲＯＭ１２に記憶されたプログラムに基づいて、ＲＡＭ１３を用いた演算処理を行い、液晶プロジェクタ１の各部へ制御信号である信号を出力する。
【００２８】
次に、映像を表示するための液晶プロジェクタ１の動作を説明する。
まず、入力端子２に接続された外部機器（不図示）から、映像信号が液晶プロジェクタ１へ入力される。入力される映像信号は、赤と緑と青の各色に対応する信号Ｒ，Ｇ，Ｂを含むＲＧＢ信号や、輝度信号Ｙ及び色差信号Ｃｂ，Ｃｒを含むコンポーネント信号などである。なお、本実施形態においては、信号Ｒ，Ｇ，Ｂ及び輝度信号Ｙの信号値の範囲は０〜２５５とする。
【００２９】
次いで、信号処理部３によって、入力された映像信号に対して種々の信号処理が施される。信号処理が施された映像信号は液晶ドライバ４へ出力される。また、本実施形態においては、信号処理部３は、輝度データ生成部９へ映像の輝度（明るさ）を示す信号（輝度信号Ｙ）を出力するとともに、色相割合データ生成部１０へＲＧＢ信号を出力する。
【００３０】
即ち、液晶プロジェクタ１に入力された映像信号がＲＧＢ信号である場合は、信号処理部３は、ＲＧＢ信号をコンポーネント信号に変換して輝度データ生成部９へ出力するとともに、ＲＧＢ信号を色相割合データ生成部１０へ出力する。また、液晶プロジェクタ１に入力された映像信号がコンポーネント信号である場合は、信号処理部３は、コンポーネント信号を輝度データ生成部９へ出力するとともに、コンポーネント信号をＲＧＢ信号に変換して色相割合データ生成部１０へ出力する。
【００３１】
次いで、液晶ドライバ４によって、信号処理が施された映像信号に基づいて、液晶パネル部７の液晶パネルが駆動される。即ち、液晶ドライバ４が、液晶パネルを駆動するために、映像信号に応じた電圧を液晶パネルに印加することによって、液晶パネル部７に映像が形成される。
【００３２】
そして、光源５が出射した光によって、液晶パネル部７に形成された映像がスクリーンＳに拡大されて表示される。即ち、光源５から出射された光は、絞り６によってその光の量が調節されるとともに、液晶パネル部７を透過してカラー映像光となる。このカラー映像光が投写レンズ８により屈折されることによって、映像が拡大して表示される。
【００３３】
ここで、本実施形態においては、上述のごとく、液晶プロジェクタ１が、輝度データを生成する輝度データ生成部９と、色相割合データを生成する色相割合データ生成部１０と、輝度データと色相割合データとに基づいて絞り６を制御するＣＰＵ１１とを備えることに特徴がある。以下、上記構成による絞り６を制御するための手順を図２に基づいて説明する。
【００３４】
まず、色相割合データ生成部１０によって、映像における所定の複数の色相及び無彩色のそれぞれの割合を算出する（ステップＳ１）。より具体的には、色相割合データ生成部１０は、信号処理部３から入力されたＲＧＢ信号に基づいて、映像を構成する画素毎に、赤、緑、青、黄、シアン、マゼンタの色相（Ｈ：Hue）、及び無彩色のいずれかを検出する。即ち、映像を構成する画素は、色相環を構成する赤、緑、青、黄、シアン、またはマゼンタの色相を有する有彩色であるか、グレースケールによって表すことができる色相を有さない無彩色である。そして、色相割合データ生成部１０は、映像１フレーム分の映像における上記６色の色相及び無彩色の検出頻度に基づいて、１フレーム分の映像における６つの色相毎の割合（即ち、赤の色相の割合、緑の色相の割合、青の色相の割合、黄の色相の割合、シアンの色相の割合、およびマゼンタの色相の割合）と無彩色の割合を算出する。各色相の割合及び無彩色の割合は、それぞれ０以上１以下であって、これら全てを足し合わせると１である。そして、色相割合データ生成部１０は、映像における６色の色相及び無彩色のそれぞれの割合を、色相割合データとしてＣＰＵ１１へ出力する。
【００３５】
なお、ステップＳ１における各色相の検出は、ＲＧＢ色空間を構成する成分である信号Ｒ，Ｇ，Ｂの値を、ＨＳＶ色空間を構成する成分（Ｈ、Ｓ、Ｖ）へ変換した場合のＨの値（いわゆる色相角度）に基づいて、検出することができる。
【００３６】
次いで、輝度データ生成部９によって、映像における輝度の平均値を算出する（ステップＳ２）。より具体的には、輝度データ生成部９は、信号処理部３から入力されたコンポーネント信号に含まれる輝度信号Ｙに基づいて、映像を構成する画素毎に、輝度（明るさ）を検出する。そして、輝度データ生成部９は、検出した輝度の和と映像を構成する画素の数とに基づいて、映像１フレーム分の映像における輝度の平均値である平均輝度レベル（ＡＰＬ）を算出する。そして、輝度データ生成部９は、映像における輝度の平均値を、輝度データとしてＣＰＵ１１へ出力する。
【００３７】
次いで、ＣＰＵ１１によって、６色の色相及び無彩色に対応している７つの開口率算出係数Ｒｖ，Ｇｖ，Ｂｖ，Ｙｖ，Ｃｖ，Ｍｖ，Ｎｖ（以下、これらの各開口率算出係数Ｒｖ，Ｇｖ，Ｂｖ，Ｙｖ，Ｃｖ，Ｍｖ，Ｎｖをまとめて、「開口率算出係数Ｋｖ」という。）を求める（ステップＳ３）。７つの開口率算出係数Ｋｖは、輝度データ生成部９から入力された輝度データ（即ち、輝度の平均値）に基づいて求めることができる。
【００３８】
より具体的には、開口率算出係数Ｋｖは、図３に示すような輝度の平均値と開口率算出係数の関係を有するテーブルや数式を用いて求めることができる。即ち、図３において、実線Ｌ１は、輝度の平均値と赤の色相の開口率算出係数（以下、「赤の開口率算出係数Ｒｖ」という。）の関係を示すとともに、破線Ｌ２は、輝度の平均値と緑の色相の開口率算出係数（以下、「緑の開口率算出係数Ｇｖ」という。）の関係を示している。また、図３において、一点鎖線Ｌ３は、輝度の平均値と青の色相の開口率算出係数（以下、「青の開口率算出係数Ｂｖ」という。）の関係を示すとともに、二点鎖線Ｌ４は、輝度の平均値と黄の色相の開口率算出係数（以下、「黄の開口率算出係数Ｙｖ」という。）の関係を示している。また、図３において、実線Ｌ５は、輝度の平均値とシアンの色相の開口率算出係数（以下、「シアンの開口率算出係数Ｃｖ」という。）の関係を示すとともに、一点鎖線Ｌ６は、輝度の平均値とマゼンタの色相の開口率算出係数（以下、「マゼンタの開口率算出係数Ｍｖ」という。）の関係を示している。また、図３において、破線Ｌ７は、輝度の平均値と無彩色の開口率算出係数Ｎｖの関係を示している。
【００３９】
即ち、例えば、輝度の平均値が９６であれば、図３に示すように、青の開口率算出係数Ｂｖは約０．７５であって、無彩色の開口率算出係数Ｎｖは約０．３７である。また、輝度の平均値が９６であれば、赤の開口率算出係数Ｒｖは約０．６２であって、マゼンタの開口率算出係数Ｍｖは約０．５５である。また、輝度の平均値が９６であれば、緑の開口率算出係数Ｇｖは約０．４８であって、黄の開口率算出係数Ｙｖは約０．４１である。また、輝度の平均値が９６であれば、シアンの開口率算出係数Ｃｖは、約０．３８である。
【００４０】
開口率算出係数Ｋｖは、輝度の平均値が大きくなるにつれ、０から１へ増加するようになっている。そして、開口率算出係数Ｋｖは、所定の輝度の平均値以上においては１となっている。例えば、赤の開口率算出係数Ｒｖは、輝度の平均値が０以上１５２未満においては、０から１へ増加するとともに、輝度の平均値が１５２以上２５６未満においては、１となっている。このように、輝度の平均値と開口率算出係数Ｋｖとの関係は、輝度の平均値が大きいほど、絞り６の開口率が大きくなるように、開口率算出係数Ｋｖが大きくなっている。このような輝度の平均値と開口率算出係数Ｋｖとの関係は、経験的知見と実験的裏付けに基づいて画品位を向上させた映像が得られるように設定されている。
【００４１】
本実施形態においては、図３に示すように、所定の輝度の平均値において、無彩色の開口率算出係数Ｎｖが、他の開口率算出係数Ｒｖ，Ｇｖ，Ｂｖ，Ｙｖ，Ｃｖ，Ｍｖ（即ち、有彩色の開口率算出係数）よりも小さい。例えば、輝度の平均値が９６の場合、上述のごとく、無彩色の開口率算出係数Ｎｖは約０．３７である。従って、所定の輝度の平均値において、７つの開口率算出係数Ｋｖのうち、無彩色の開口率算出係数Ｎｖが最も小さい。
【００４２】
また、本実施形態においては、図３に示すように、所定の輝度の平均値において、青の開口率算出係数Ｂｖや赤の開口率算出係数Ｒｖが、他の開口率算出係数Ｇｖ，Ｙｖ，Ｃｖ，Ｍｖ，Ｎｖよりも大きい。例えば、輝度の平均値が９６の場合、上述のごとく、青の開口率算出係数Ｂｖは約０．７５であって、赤の開口率算出係数Ｒｖは約０．６２である。従って、所定の輝度の平均値においては、７つの開口率算出係数Ｋｖのうち、青の開口率算出係数Ｂｖが最も大きく、赤の開口率算出係数Ｒｖが、青の開口率算出係数Ｂｖの次に大きい。
【００４３】
次いで、ＣＰＵ１１によって、ステップＳ３において求めた開口率算出係数Ｋｖと、ステップＳ１において算出された６色の色相及び無彩色のそれぞれの割合とに基づいて、開口率を算出する（ステップＳ４）。より具体的には、以下の（式１）に示すように、６色の色相及び無彩色の割合の各々に、６色の色相及び無彩色のそれぞれに対応している開口率算出係数Ｋｖを掛けて足し合わせることにより、絞り６の開口部が開口すべき大きさ（即ち、開口率）を算出する。
【００４４】
Ａｒ＝Ｒｒ・Ｒｖ＋Ｇｒ・Ｇｖ＋Ｂｒ・Ｂｖ＋Ｙｒ・Ｙｖ＋Ｃｒ・Ｃｖ＋Ｍｒ・Ｍｖ＋Ｎｒ・Ｎｖ  ・・・（式１）
なお、上記（式１）において、Ａｒは開口率を示している。また、上記（式１）において、Ｒｒ、Ｇｒ、Ｂｒ、Ｙｒ、Ｃｒ、Ｍｒは、それぞれ、ステップＳ１において算出された赤、緑、青、黄、シアン、マゼンタの色相の割合であって、Ｎｒは、ステップＳ１において算出された無彩色の割合である。
【００４５】
従って、ステップＳ２において算出された輝度の平均値が９６の場合は、上記（式１）に示すように、無彩色の割合に、開口率算出係数Ｋｖのうち最も小さい無彩色の開口率算出係数Ｎｖが掛けられるため、無彩色の割合が高いほど、ステップＳ４において算出されるＡｒは小さい。また、輝度の平均値が９６の場合は、上記（式１）に示すように、青の色相の割合に、開口率算出係数Ｋｖのうち最も大きい青の開口率算出係数Ｂｖが掛けられるとともに、赤の色相の割合に、青の開口率算出係数Ｂｖに次いで大きい赤の開口率算出係数Ｒｖが掛けられるため、青の色相や赤の色相の割合が高いほど、算出されるＡｒは大きい。
【００４６】
このステップＳ４において算出されるＡｒは、０以上１以下の値であって、Ａｒが１であれば、絞り６の開口部を最も大きくすべきことを示している。一方、Ａｒが０であれば、絞り６の開口部を最も小さくすべきことを示している。
【００４７】
そして、ＣＰＵ１１は、絞り６の開口部の大きさを変化するように、絞り６を制御する（ステップＳ５）。即ち、ＣＰＵ１１は、ステップＳ４において算出されたＡｒに応じて、絞り６の開口部の大きさを制御する信号である制御信号を絞り６へ出力して、絞り６を制御する。
【００４８】
上記実施形態の、光を投写して映像を表示するとともに、光の量を絞り６によって調節する液晶プロジェクタ１によれば、以下のような効果を得ることができる。
（１）液晶プロジェクタ１は、映像における輝度に関するデータを生成する輝度データ生成部９と、映像における色相の割合に関するデータを生成する色相割合データ生成部１０と、輝度データ生成部９及び色相割合データ生成部１０によって生成されたデータに基づいて、絞り６を制御するＣＰＵ１１とを備えている。即ち、映像における輝度に関するデータと、映像における色相の割合に関するデータとに基づいて、絞り６を制御する構成としているため、映像における輝度だけではなく、映像における色相の割合に応じて光量調節部を制御することができる。従って、輝度の平均値である平均輝度レベルや輝度の最大値が同じである映像を表示する場合に、映像における色相の割合に応じて、画品位を向上させた映像を表示させることができる。
【００４９】
（２）輝度データ生成部９は、映像における輝度に関するデータとして映像における輝度の平均値を算出するとともに、色相割合データ生成部１０は、映像における色相の割合に関するデータとして映像における所定の複数の色相（即ち、上記６色の色相）及び無彩色のそれぞれの割合を算出している。そして、ＣＰＵ１１は、輝度の平均値と、所定の複数の色相及び無彩色のそれぞれの割合とに応じて、絞り６を制御する。即ち、ＣＰＵ１１は、映像における輝度の平均値と、映像における所定の複数の色相及び映像における無彩色のそれぞれの割合とに応じて、絞り６を制御する構成としているため、映像における輝度の平均値と複数の色相及び無彩色の割合とに応じて絞り６を制御することができる。従って、輝度の平均値である平均輝度レベルや輝度の最大値や映像における無彩色の割合が同じである映像を表示する場合に、映像における所定の複数の色相の割合に応じて、画品位を向上させた映像を表示させることができる。
【００５０】
（３）ＣＰＵ１１は、無彩色の割合が高いほど、光の量を少なくするように絞り６を制御する。即ち、映像における無彩色の割合が高いほど、投写される光の量を少なくする構成としている。このため、光の量を少なくして表現したい映像であって、無彩色の割合が高い映像（例えば、曇り空の映像）を、より光量を少なくして画品位を向上させて表示させることができる。
【００５１】
（４）ＣＰＵ１１は、青の色相や赤の色相の割合が高いほど、光の量を多くするように絞り６を制御する。即ち、映像において輝度への影響が小さい色相（青の色相や赤の色相）の割合が高いほど、投写される光の量を多くする構成としているため、光の量を多くして表現したい映像であって、輝度への影響が小さい色相の割合が高い映像（例えば、海の映像）を、より光量を多くして画品位を向上させて表示させることができる。
【００５２】
（５）開口率を変化させることによって光の量を調節する光量調節部が絞り６によって形成されている。そして、ＣＰＵ１１は、ステップＳ３において輝度の平均値に対応する所定の複数の色相及び無彩色のそれぞれの開口率算出係数Ｋｖを求めるとともに、ステップＳ４において色相の割合及び無彩色の割合（即ち、Ｒｒ、Ｇｒ、Ｂｒ、Ｙｒ、Ｃｒ、Ｍｒ、Ｎ）の各々に開口率算出係数Ｋｖを掛けて足し合わせることにより、開口率（Ａｒ）を算出する。このため、光の量を調節するための開口率を簡単な演算で算出することができる。
【００５３】
（６）所定の複数の色相として、赤、緑、青、黄、シアン、及びマゼンタの６色の色相を用いている。従って、映像における赤、緑、青、黄、シアン、及びマゼンタの６色の色相のそれぞれの割合に応じて絞り６を制御するため、映像における光の３原色（赤、緑、青）とそれらの補色（黄、シアン、マゼンタ）の各色相の割合に応じて、きめ細かく画品位を向上させた映像を表示させることができる。
【００５４】
なお、上記実施形態は以下のように変更してもよい。
・上記実施形態においては、信号処理部３、輝度データ生成部９、及び色相割合データ生成部１０は、それぞれ個々の集積回路であったが、信号処理部３、輝度データ生成部９、及び色相割合データ生成部１０の動作をプログラムにより実行してもよい。即ち、ＣＰＵ１１が、信号処理部３、輝度データ生成部９、及び色相割合データ生成部１０を兼ねていてもよい。このようにすれば、液晶プロジェクタ１のハードウェア構成を簡素化することができる。
【００５５】
・上記実施形態においては、光量調節部が絞り６により形成されていたが、図４に示すように、光源５に供給される電力を制御する光源駆動電力制御部１４を設けて、この光源駆動電力制御部１４を光量調節部としてもよい。
【００５６】
光源駆動電力制御部１４は、ＣＰＵ１１から入力される制御信号に基づいて、光源５に供給される駆動電力（即ち、ランプの発光管内に電圧を印加するために、光源５に供給される電力）を制御することにより、光源５から出射される光の量を調節して、スクリーンＳに投写される光の量を調節する。
【００５７】
このような構成による、光源駆動電力制御部１４を制御するための手順を図５に基づいて説明する。まず、ステップＳ１と同様に、色相割合データ生成部１０によって、映像における複数の色相及び無彩色のそれぞれの割合を算出する（ステップＳ１１）。次いで、ステップＳ２と同様に、輝度データ生成部９によって、映像における輝度の平均値を算出する（ステップＳ１２）。
【００５８】
次いで、ステップＳ３と同様に、ＣＰＵ１１によって、６色の色相及び無彩色のそれぞれに対応している７つの駆動電力算出係数を求める（ステップＳ１３）。より具体的には、ＣＰＵ１１は、輝度の平均値と駆動電力算出係数の対応を示すとともに経験的知見と実験的裏付けに基づいて設定されたテーブルや数式を用いて、輝度データ生成部９から入力された輝度データ（即ち、輝度の平均値）に基づいて７つの駆動電力算出係数を求める。
【００５９】
次いで、ステップＳ４と同様の演算を行うことで、ＣＰＵ１１によって、ステップＳ１３において求めた駆動電力算出係数と、ステップＳ１１において算出された６色の色相及び無彩色のそれぞれの割合とに基づいて、光源５に供給すべき駆動電力を算出する（ステップＳ１４）。
【００６０】
そして、ＣＰＵ１１は、上記駆動電力に基づいて、光源駆動電力制御部１４を制御する（ステップＳ１５）。即ち、ＣＰＵ１１は、ステップＳ１４において算出された駆動電力に応じた制御信号を光源駆動電力制御部１４へ出力して、光源５へ供給する電力を制御する光源駆動電力制御部１４を制御する。
【００６１】
・上記実施形態においては、赤、緑、青、黄、シアン、及びマゼンタの色相及び無彩色のそれぞれの割合を算出していたが、これ以外の色相や、また割合を算出する色相の数を変更してもよい。例えば、赤、黄、緑、青、及び紫の色相及び無彩色のそれぞれの割合を算出してもよい。
【００６２】
・上記実施形態においては、輝度に関するデータとして映像における輝度の平均値を算出したが、輝度の平均値ではなく、例えば、輝度の中央値や最頻値や最大値を算出して、これらを輝度に関するデータとしてもよい。
【００６３】
・上記実施形態においては、投写型映像表示装置は液晶プロジェクタ１であったが、投写する光の量を調節する光量調節部を備え、光を投写して映像を表示する装置であればどのようなものであってもよい。
【図面の簡単な説明】
【００６４】
【図１】本発明の実施形態に係る投写型映像表示装置を示すブロック図。
【図２】本発明の実施形態に係る光量調節部を制御するための手順を示すフローチャート。
【図３】輝度の平均値に対応する所定の複数の色相及び無彩色の開口率算出係数を説明するためのグラフ。
【図４】本発明の実施形態に係る投写型映像表示装置の変形例を示すブロック図。
【図５】本発明の変形例に係る光量調節部を制御するための手順を示すフローチャート。
【符号の説明】
【００６５】
１…液晶プロジェクタ（投写型映像表示装置）、３…信号処理部、５…光源、６…絞り（光量調節部）、７…液晶パネル部、９…輝度データ生成部、１０…色相割合データ生成部、１１…ＣＰＵ（制御部）、１４…光源駆動電力制御部（光量調節部）。
【図１】
2009103917.tif 000003
【図２】
2009103917.tif 000004
【図３】
2009103917.tif 000005
【図４】
2009103917.tif 000006
【図５】
2009103917.tif 000007